(57)【要約】      （修正有）【課題】左眼用映像信号と右眼用映像信号の輝度に関する特性をできる限り近づけて、立体視を良好に維持できるようにした立体映像信号処理装置及び処理方法を提供する。【解決手段】ヒストグラム検出器で立体表示用の第１と第２の各映像信号から第１と第２の各ヒストグラムデータを検出する。トーンカーブ設定回路は、前記第１のヒストグラムデータに基づく第１のトーンカーブ用データを生成する。一方、補正パラメータ検出器が前記第２の映像信号輝度レベルを前記第１の映像信号輝度レベルに近づけるための補正パラメータを検出し、トーンカーブ補正回路が前記第１のトーンカーブ用データを補正することで第２のトーンカーブ用データを生成し、映像信号調整ブロックが前記第１のトーンカーブ用データによって前記第１の映像信号の輝度レベルを調整し、前記補正で得られた第２のトーンカーブ用データによって前記第２の映像信号の輝度レベルを調整する。【選択図】図３
2012175339.tif 000002
【特許請求の範囲】
【請求項１】
立体視表示用の第１の映像信号から第１のヒストグラムデータを検出し、立体視表示用の第２の映像信号から第２のヒストグラムデータを検出するヒストグラム検出器と、
前記第１のヒストグラムデータに基づく第１のトーンカーブ用データを生成するトーンカーブ設定回路と、
前記第１および第２のヒストグラムデータを用いて前記第２の映像信号の輝度レベルを前記第１の映像信号の輝度レベルに近づけるための補正パラメータを検出する補正パラメータ検出器と、
前記補正パラメータにより前記第１のトーンカーブ用データを補正することで第２のトーンカーブ用データを生成するトーンカーブ補正回路と、
前記第１のトーンカーブ用データによって前記第１の映像信号の輝度レベルを調整し、前記第２のトーンカーブ用データによって前記第２の映像信号の輝度レベルを調整する映像信号調整ブロックを有する立体映像信号処理装置。
【請求項２】
前記補正パラメータ検出器は、前記第１のヒストグラムと第２のヒストグラムから、前記第１の映像信号のコントラストの最低値と第２の映像信号のコントラストの最低値の差（Ｄ）と、前記第１の映像信号のコントラスト（Ｅ）と前記第２の映像信号のコントラスト（Ｆ）のコントラスト比（Ｅ/Ｆ）を検出する請求項１記載の立体映像信号処理装置。
【請求項３】
前記トーンカーブ補正回路は、前記差（Ｄ）に応じて、前記第１のトーンカーブ用データにバイアスを与え、前記コントラスト比（Ｅ/Ｆ）に応じて前記第１のトーンカーブ用データの入出力特性のカーブ変化率を補正する請求項２記載の立体映像信号処理装置。
【請求項４】
前記第１の映像信号と第２の映像信号はフレーム毎に交互に入力し、分離器により分離されて前記ヒストグラム検出器に供給される請求項１記載の立体映像信号処理装置。
【請求項５】
前記第１の映像信号と第２の映像信号はフレームの右側と左側に配置されて入力し、分離器により分離されて前記ヒストグラム検出器に供給される請求項１記載の立体映像信号処理装置。
【請求項６】
さらにチューナと、
前記チューナの出力をデコードし、前記第１の映像信号および第２の映像信号を得るデコーダを有する請求項３記載の立体映像信号処理装置。
【請求項７】
さらに撮像素子と、
前記撮像素子からの撮像信号を前記調整前の前記第１の映像信号および第２の映像信号に変換するカメラ信号処理部を有する請求項３記載の立体映像信号処理装置。
【請求項８】
ヒストグラム検出器により、立体表示用の第１の映像信号から第１のヒストグラムデータを検出し、立体表示用の第２の映像信号から第２のヒストグラムデータを検出し、
トーンカーブ設定回路により、前記第１のヒストグラムデータに基づく前記第１のトーンカーブ用データを生成し、
補正パラメータ検出器により、前記第１のヒストグラムデータおよび前記第２のヒストグラムデータを用いて前記第２の映像信号の輝度レベルを前記第１の映像信号の輝度レベルに近づけるための補正パラメータとして、前記第１の映像信号のコントラストの最低値と第２の映像信号のコントラストの最低値の差（Ｄ）と、前記第１の映像信号のコントラスト（Ｅ）と前記第２の映像信号のコントラスト（Ｆ）のコントラスト比（Ｅ/Ｆ）を検出し、
トーンカーブ補正回路により、前記補正パラメータにより前記第１のトーンカーブ用データを補正することで第２のトーンカーブ用データを生成し、
映像信号調整ブロックにより、前記第１のトーンカーブ用データによって前記第１の映像信号の輝度レベルを調整し、前記補正で得られた前記第２のトーンカーブ用データによって前記第２の映像信号の輝度レベルを調整する立体映像信号処理方法。
【請求項９】
前記差（Ｄ）に応じて、前記トーンカーブ用データにバイアスを与え、前記コントラスト比（Ｅ/Ｆ）に応じてトーンカーブ用データの入出力特性のカーブ変化率を補正する請求項８記載の立体映像信号処理方法。
【発明の詳細な説明】
【技術分野】
【０００１】
本発明の実施形態は立体映像信号処理装置及び処理方法に関する。
【背景技術】
【０００２】
最近、テレビジョン技術の分野では立体映像表示装置が製品として販売されている。また立体映像信号の放送も行われるようになった。
【０００３】
立体映像信号として両眼視差方式（２眼方式とも称される）があり、この方式は、左眼用の画像と右眼用の視差のある画像を左眼と右眼とでそれぞれ見えるようにした方式である。両眼視差方式を実現するために、左右のカメラで撮像した左眼用映像信号と右眼用映像信号とを立体映像信号として用いる方式がある。
【先行技術文献】
【特許文献】
【０００４】
【特許文献１】特開２００３−１５８７５１号公報
【特許文献２】特開平１０−２２４８２２号公報
【発明の概要】
【発明が解決しようとする課題】
【０００５】
２台のカメラで撮像した立体視表示用の左眼用映像信号と右眼用映像信号とは、必ずしも黒レベル及びダイナミックレンジが同じとは限らない。２台のカメラ間の撮像素子のばらつき、温度変化による特性などが原因で、左眼用映像信号と右眼用映像信号の両者の黒レベル及びダイナミックレンジを完全に一致させることは困難である。
【０００６】
そこでこの発明では、左眼用映像信号と右眼用映像信号の輝度に関する特性をできる限り近づけて、立体視を良好に維持できるようにした立体映像信号処理装置及び処理方法を提供することを目的とする。
【課題を解決するための手段】
【０００７】
実施形態によれば、ヒストグラム検出器が立体表示用の第１の映像信号から第１のヒストグラムデータを検出し、立体表示用の第２の映像信号から第２のヒストグラムデータを検出する。トーンカーブ設定回路は、前記第１のヒストグラムデータに基づく第１のトーンカーブ用データを生成する。一方、補正パラメータ検出器が前記第１および第２のヒストグラムデータを用いて前記第２の映像信号の輝度レベルを前記第１の映像信号の輝度レベルに近づけるための補正パラメータを検出する。そして、トーンカーブ補正回路が前記補正パラメータにより前記第１のトーンカーブ用データを補正することで第２のトーンカーブ用データを生成し、映像信号調整ブロックが前記第１のトーンカーブ用データによって前記第１の映像信号の輝度レベルを調整し、前記補正で得られた第２のトーンカーブ用データによって前記第２の映像信号の輝度レベルを調整するものである。
【図面の簡単な説明】
【０００８】
【図１】実施形態に係る立体映像表示装置の概略を示す図である。
【図２】立体映像表示装置が一体化したテレビジョン放送受信装置の全体構成例を示す図である。
【図３】３Ｄ処理モジュールの構成例を示す図である。
【図４】３Ｄ処理モジュールの他の構成例を示す図である。
【図５】３Ｄ処理モジュールの代表的な動作例を説明するために示した動作説明図である。
【図６】立体映像表示装置が一体化した３Ｄカメラの全体構成例を示す図である。
【発明を実施するための形態】
【０００９】
以下、実施の形態について図面を参照して説明する。先ず、立体映像表示について説明する。図１は、眼鏡を使用して立体映像を観察できる２眼式の立体映像表示装置の例である。図１には、２つの２眼方式を同時に示している。
【００１０】
第１の方式は、左眼用の映像（Ｌ）と右眼用の映像（Ｒ）がフレーム毎に交互にテレビジョン受信装置２１００で表示される例である。左眼用の映像（Ｌ）の信号と右眼用の映像（Ｒ）の信号は、外部から送られて来るものであっても、また、テレビジョン受信装置の内部で２Ｄ表示用映像信号から擬似的に生成されるものであってもよい。
【００１１】
テレビジョン受信装置２１００からは、現在表示されている映像が、右目用映像と左目用映像のどちらであるかを示す識別情報が出力される。左右識別情報の搬送媒体は、有線、電波あるいは赤外線のいずれであってもよい。３Ｄ眼鏡３０００は、受信機３００１を有し、この受信機３００１は識別情報を受信し、左と右の液晶眼鏡のシャッター動作を制御し表示された左右映像に同期させる。これにより視聴者は、右眼用の映像を右眼で左眼用の映像を左眼で観察し、立体映像を知覚することができる。
【００１２】
第２の方式は、左眼用の映像（Ｌ）がフレームの左半分に配置され、右眼用の映像（Ｒ）がフレームの右半分に配置されてテレビジョン受信装置２１００で表示される例である。この左眼用の映像（Ｌ）の信号、右眼用の映像（Ｒ）の信号も、外部から送られて来るものであっても、また、テレビジョン受信装置の内部で２Ｄ表示用映像信号から擬似的に生成されるものであってもよい。この方式はサイドバイサイドと称されることもある。左と右の映像による出射光は、例えば偏光方向が異なり、３Ｄ眼鏡３０００は、偏光眼鏡が使用され、左と右のガラスが偏光性を有し、左のガラスは左の映像を透過し、右のガラスが右の映像を透過する。これにより視聴者は、右眼用の映像を右眼で左眼用の映像を左眼で観察し、立体映像を知覚することができる。さらに各種の立体映像表示方式があるがここでは、省略する。
【００１３】
または、３Ｄ眼鏡３０００の左と右の液晶眼鏡のシャッター動作を制御し表示された左右映像に同期させるようにしてもよい。
【００１４】
図２は、実施形態が適用された装置の一例でありテレビジョン放送受信装置２１００の信号処理系を概略的に示している。デジタルテレビジョン放送受信用のアンテナ２２２で受信したデジタルテレビジョン放送信号は、入力端子２２３を介してチューナ２２４に供給される。このチューナ２２４は、入力されたデジタルテレビジョン放送信号から所望のチャンネルの信号を選局し復調している。チューナ２２４から出力された信号は、デコーダ２２５に供給されて、例えばＭＰＥＧ（moving picture experts group）２デコード処理が施された後、セレクタ２２６に供給される。
【００１５】
またチューナ２２４の出力は、直接セレクタ２２６に供給されている。この信号から映像・音声情報などが分離され、この映像・音声情報が制御部２３５を介して記録・再生信号処理器２５５で処理され、ハードディスクドライブ（ＨＤＤ）２５７にて記録されることも可能である。ＨＤＤ２５７は、ユニットとして端子２５６を介して記録・再生信号処理器２５５に接続されており、交換することも可能である。またＨＤＤ２５７は、信号の記録器、読み取り器を含む。
【００１６】
アナログテレビジョン放送受信用のアンテナ２２７で受信したアナログテレビジョン放送信号は、入力端子２２８を介してチューナ２２９に供給される。このチューナ２２９は、入力されたアナログテレビジョン放送信号から所望のチャンネルの信号を選局し復調している。そして、このチューナ２２９から出力された信号は、Ａ／Ｄ（analog／digital）コンバータ２３０によりデジタル化された後、セレクタ２２６に出力される。
【００１７】
また、例えばＶＴＲなどの機器が接続されるアナログ信号用の入力端子２３１に供給されたアナログの映像及び音声信号は、Ａ／Ｄコンバータ２３２に供給されてデジタル化された後、セレクタ２２６に出力される。さらに、例えばＨＤＭＩ（High Definition Multimedia Interface）２６１を介して光ディスクあるいは磁気記録媒体再生装置などの外部機器が接続されるデジタル信号用の入力端子２３３に供給されたデジタルの映像及び音声信号は、そのままセレクタ２２６に供給される。
【００１８】
Ａ／Ｄ変換された信号が、ＨＤＤ２５７にて記録される場合は、セレクタ２２６に付随しているエンコーダ・デコーダ２３６内のエンコーダにより、所定のフォーマット例えばMoving Picture Experts Group（ＭＰＥＧ）２方式による圧縮処理が施された後、記録・再生信号処理器２５５を介してＨＤＤ２５７に記録される。記録・再生信号処理器２５５は、記録制御器２３５aと相俟って、ＨＤＤ２５７に情報を記録する場合、例えばＨＤＤ２５７の何処のディレクトリに対してどのような情報を記録するかを予めプログラムされている。したがってストリームファイルをストリームディレクトリに格納するときの条件、識別情報を録画リストファイルに格納するときの条件などが設定されている。
【００１９】
セレクタ２２６は、４種類の入力デジタル映像及び音声信号から１つを選択して、信号処理器２３４に供給している。この信号処理器２３４は、入力されたデジタル映像信号からオーディオ情報、ビデオ情報を分離し、所定の信号処理を施している。信号処理としては、オーディオ情報に関しては、オーディオデコード・音質調整・ミックス処理などが任意に行われる。ビデオ情報に関しては、カラー・輝度分離処理、カラー調整処理、画質調整処理などが行われる。
【００２０】
また信号処理器２３４内には、３Ｄ処理モジュール８０も含まれる。ビデオ出力回路２３９では、３Ｄ・２Ｄの切り替えに応じて３Ｄ信号出力又は２Ｄ信号出力の切り替えが行われる。またビデオ出力部２３９は、制御ブロック２３５からのグラフィック映像、文字・図形・記号・等の映像、ユーザインターフェース映像、番組表の映像などをメイン映像に多重する合成部も含む。ビデオ出力回路２３９は、走査線数変換を含んでもよい。
【００２１】
オーディオ情報は、オーディオ出力回路２３７でアナログ化され、音量、チャンネルバランスなどの調整を受けた後、出力端子２３８を介してスピーカ装置２１０２に出力される。
【００２２】
ビデオ情報は、ビデオ出力回路２３９にて、画素の合成処理、走査線数変換など受けたのち、出力端子２４２を介して表示装置２１０３へ出力される。
【００２３】
このテレビジョン放送受信装置２１００は、各種の受信動作を含む種々の動作を制御ブロック２３５によって統括的に制御されている。この制御ブロック２３５は、ＣＰＵ（central processing unit）等を内蔵したマイクロプロセッサの集合である。制御ブロック２３５は、操作部２４７からの操作情報、または、リモートコントローラ２１０４から送信された操作情報がリモコン信号受信部２４８を取得され、これにより、その操作内容が反映されるように各種ブロックをそれぞれ制御している。
【００２４】
制御ブロック２３５は、メモリ２４９を使用している。このメモリ２４９は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２５】
またこの装置はインターネットを介して外部サーバーとの通信を行うことも可能である。接続端子２４４からのダウンストリーム信号は、送・受信器２４５で復調され変調・復調器２４６で復調され、制御ブロック２３５に入力される。またアップストリーム信号は、変調・復調器２４６で変調され、送・受信器２４５で送信信号に変換され接続端子２４４に出力される。
【００２６】
制御ブロック２３５は、外部サーバーからダウンロードされた動画像あるいはサービス情報を変換処理し、ビデオ出力回路２３９に供給することができる。また制御ブロック２３５は、リモコン操作に応答して、外部サーバーに向けてサービス要求信号を送信することもできる。
【００２７】
さらに制御ブロック２３５は、コネクタ２５１に装着されたカードタイプメモリ２５２のデータを読み取ることも可能である。このために本装置は、例えば、カードタイプメモリ２５２から写真画像データを取り込み、表示装置２１０４に表示することが可能である。また特殊なカラー調整などを行う際に、カードタイプメモリ２５２からの画像データを標準データ或いは参照データとして用いることも可能である。
【００２８】
上記装置において、ユーザは、デジタルテレビジョン放送信号の所望の番組を視聴すると共に、ＨＤＤ２５７に保存したいと思う場合、リモートコントローラ２１０４を操作することによりチューナ２２４を制御し、番組選択を行う。
【００２９】
チューナ２２４の出力は、デコーダ２２５でデコードされベースバンド映像信号に復号され、このベースバンド映像信号は、セレクタ２２６から信号処理器２３４に入力する。これによりユーザは、所望の番組を表示装置２１０３で見ることができる。
【００３０】
また選択された番組のストリーム（多数のパケットからなる）は、セレクタ２２６を介して制御ブロック２３５に入力する。ユーザが録画操作を行えば、記録制御器３５ａは、前記番組のストリームを選択して記録・再生信号処理器２５５に供給する。記録制御器２３５ａ及び記録・再生信号処理器２５５の動作により、例えば前記番組のストリームに対してファイル番号が付され、ストリームファイルとしてＨＤＤ２５７のファイルディレクトリに格納される。
【００３１】
また、ユーザがＨＤＤ２５７に記録されているストリームファイルを再生して視聴したい場合、例えばリモートコントローラ２１０４を操作して、例えば録画リストファイルの表示を指定する（この録画リストファイルについては後でさらに詳しく説明する）。
【００３２】
録画リストファイルは、ＨＤＤ２５７にどのようなストリームファイルが記録されているのかを示すファイル番号やファイル名（識別情報と称する）のテーブルを有する。ユーザが録画リストファイルの表示を指定すると、録画リストがメニューとして表示されるので、ユーザは、表示されたリストの中の希望の番組名あるいはファイル番号の位置にカーソルを移動させ、決定ボタンを操作する。すると、所望のストリームファイルの再生が開始される。
【００３３】
指定されたストリームファイルは、再生制御器２３５ｂの制御のもとで、ＨＤＤ２５７から読み出され、記録・再生信号処理器２５５で復号され、制御ブロック２３５、セレクタ２２６を経由して信号処理器２３４に入力される。
【００３４】
ここで、制御ブロック２３５は、記録制御器２３５a、再生制御器２３５ｂ、及び３Ｄ関連制御器２３５ｃ、表示制御器２３５ｄを含む。表示制御器２３５ｄは、例えばチャンネル番号データ、メッセージデータ、番組表データ、字幕データなどを処理して、ビデオ出力回路２３９に供給する。
【００３５】
図３は、３Ｄ処理モジュール８０の構成例を示す図である。入力端子８１からの立体視表示用の映像信号（左眼用映像信号、右眼用映像信号）は、分離器８２で分離される。例えば左眼用の映像信号は時間調整回路９１Ｌを介して、映像信号調整ブロック８３内の第１の映像信号調整回路８３Ｌに入力され、右眼用の映像信号は時間調整回路９１Ｒを介して映像信号調整ブロック８３内の第２の映像信号調整回路８３Ｒに入力される。第１及び第２の映像信号調整回路８３Ｌ，８３Ｒは、それぞれ第１、第２のトーンカーブ用データに基づいて、第１、第２の映像信号の輝度を調整する。例えば、輝度の入出力特性において、画像が暗い部分（輝度の値が小さいエリア）のゲインをリニアなゲインに比べて高くする。これにより、暗い背景の中で、黒い物体（例えば輝度の低い物体）が見やすくなる。また輝度の入出力特性において、映像が明るい部分（例えば輝度の値が大きいエリア）のゲインをリニアなゲインに比べて抑圧する。これにより、明るい背景で、白い物体（輝度の高い物体）が見やすくなる。
【００３６】
この装置は、ヒストグラムから得た情報をトーンカーブ特性に反映させている。このために、左眼用映像信号、右眼用映像信号は、それぞれヒストグラム検出器８４内のヒストグラム検出器８４Ｌ，８４Ｒに入力される。
【００３７】
左系統のヒストグラム検出器８４Ｌは、取得したヒストグラムデータＡをヒストグラム適用回路８６に入力する。ヒストグラム適用回路８６は入力したヒストグラムデータＡに応じてトーンカーブ設定回路８７から出力されるトーンカーブ設定データを修正することができる。例えば、ヒストグラムデータＡが、映像の輝度が画面の全体的に暗いことを示す場合、ヒストグラム適用回路８６は、輝度のダイナミックレンジが拡大されるように、トーンカーブ設定データを動的に修正することができる。このように修正されたトーンカーブ設定データは、映像信号調整回路８３Ｌにセットされる。トーンカーブ設定回路８７から出力されるトーンカーブ設定データによるトーンカーブをここでトーンカーブＣとする。
【００３８】
またトーンカーブ設定回路８７から出力されたトーンカーブ設定データは、トーンカーブ補正回路８９に入力される。トーンカーブ補正回路８９は、入力したトーンカーブ設定データを、後述する補正パラメータに基づいて補正し、補正されたトーンカーブ設定データを右側系統の映像信号調整回路８３Ｒにセットする。
【００３９】
補正されたトーンカーブ設定データを映像信号調整回路８３Ｒにセットする理由は、左眼用映像信号と右眼用映像信号の輝度に関する特性をできる限り近づけて、立体視を良好に維持できるようにするためである。
【００４０】
補正パラメータは、以下のように作成される。左眼用映像信号と右眼用映像信号は、ヒストグラム検出器８４Ｌ、８４Ｒに入力される。ヒストグラム検出器８４Ｌ、８４Ｒで取得された第１、第２のヒストグラムデータＡ，Ｂは、補正パラメータ検出器８８に入力される。
【００４１】
補正パラメータ検出器８８は、第１、第２のヒストグラムデータを用いて、第１の映像信号のコントラストの最低値と第２の映像信号のコントラストの最低値との差Ｄを検出する。また補正パラメータ検出器８８は、第１、第２のヒストグラムデータを用いて、第１の映像信号のコントラストＥと、第２の映像信号のコントラストＦを検出する。
【００４２】
上記差Ｄを用いて、まずトーンカーブＣの最低値を補正する。実際には、トーンカーブ設定データの値にバイアスを与えて補正している。次に、第１、第２の映像信号のコントラスト比（Ｅ/Ｆ）を用いてトーンカーブＣの傾斜特性を補正する。実際には、トーンカーブ設定データによる入力対出力特性のカーブ変化率を補正している。この補正により生じたトーンカーブＧとして示す。
【００４３】
上記のように補正されたトーンカーブ設定データは、映像信号調整回路８３Ｒにセットされる。
【００４４】
２台のカメラ（撮像装置）間の撮像素子のばらつき、温度変化による特性などが原因で、左眼用映像信号と右眼用映像信号の両者の黒レベル及びダイナミックレンジがずれて、立体視映像の品位が低下する。しかし本実施例によると、映像信号調整回路８３Ｌ、８３Ｒから出力される左眼用映像信号と右眼用映像信号は、両者の黒レベル及びダイナミックレンジができる限り同じとなり、立体視映像の品位を向上する。
【００４５】
図４は、映像信号調整回路８３Ｌ、８３Ｒの各映像信号に対してトーンカーブに基づく調整が行われる経過をさらに示している。ヒストグラム検出器８４Ｌ、８４Ｒで取得された第１、第２のヒストグラムデータＡ，Ｂは、補正パラメータ検出器８８に入力される。ここで、第１、第２のヒストグラムデータＡ，Ｂに対して、同じレベルのスレッシュホールドレベルＴｈを適用し、処理しやすいデータにする。第１のヒストグラムデータＡは、ヒストグラム適用回路８６を介して、トーンカーブ設定回路８７における例えばトーンカーブＣの設定データを指定する。
【００４６】
なお、第１のヒストグラムデータＡの内容に応じて、トーンカーブＣ１，或いはＣ２などの設定データが指定される場合もあることに留意されたい。
【００４７】
今は、トーンカーブＣの設定データが指定されたとする。このトーンカーブＣの設定データは、左眼用映像信号を調整するために、映像信号調整回路８３Ｌに設定される。
【００４８】
次に、トーンカーブＣの設定データは、トーンカーブ補正回路８９において補正されトーンカーブＧの設定データとなる。トーンカーブＣをトーンカーブＧに補正するためには、補正パラメータが適用される。
【００４９】
補正パラメータとしては、先に説明したように、次のように求められる。即ち、第１と第２のヒストグラムデータＡ，Ｂが使用され、第１、２の映像信号のコントラストの最低値の差Ｄと、第１、２の映像信号のコントラストＥ、Ｆから得られたコントラスト比（Ｅ/Ｆ）が補正パラメータとして求められる。
【００５０】
補正パラメータにより、トーンカーブＣがトーンカーブＧとなるように映像信号調整回路８３Ｒに与えられるトーンカーブ設定データが補正される。即ち差Ｄを用いて、まずトーンカーブＣの最低値を補正する。実際には、トーンカーブ設定データの値にバイアスを与えて補正する。次に、第１、第２の映像信号のコントラスト比（Ｅ/Ｆ）を用いてトーンカーブＣの傾斜特性を補正する。実際には、トーンカーブ設定データによる入力対出力特性のカーブ変化率を補正する。この補正により生じたトーンカーブ設定データにより決まるカーブをトーンカーブＧとして示す。
【００５１】
上記の処理により、入力した左眼用映像信号と右眼用映像信号のコントラストに誤差があっても、出力側における左眼用映像信号と右眼用映像信号のコントラストが同じになるように調整される。
【００５２】
図３の構成は、左用映像信号と右眼用映像信号がフレーム毎に交互に入力する方式であるが、本発明は、サイドバイサイド方式の立体視用映像信号に対しても適用できることは勿論である。
【００５３】
図５には、サイドバイサイド方式の立体視用映像信号の左右映像信号のコントラストを調整する実施形態を示している。図３の構成と同一機能部分には同一符号を付している。
【００５４】
入力端子８１に入力された立体視表示用の映像信号は、分離器８２に入力されるとともに、時間調整回路９１を介して、映像信号調整ブロック８３（８３Ｌ、８３Ｒを含む）に入力される。
【００５５】
分離器８２で分離された左眼用映像信号、右眼用映像信号は、ヒストグラム検出器８４内のヒストグラム検出器８４Ｌ、８４Ｒに入力される。ヒストグラム検出器８４Ｌで検出されたヒストグラムデータは、ヒストグラム適用回路８６を介してトーンカーブ設定回路８７のトーンカーブ設定データを指定する。トーンカーブ設定データは、セレクタＳＬ２を介して、映像信号調整ブロック８３にセットされる。
【００５６】
ヒストグラム検出器８４Ｌ、８４Ｐで検出されたヒストグラムデータは、補正パラメータ検出器８８に入力される。補正パラメータ検出器８８で得られた補正パラメータは、トーンカーブ補正回路８９に入力されて、トーンカーブ設定データを補正する。この補正において、例えば図４で説明したようにトーンカーブＣがトーンカーブＧに補正される。
【００５７】
トーンカーブ補正回路８９で補正されたトーンカーブ設定データは、セレクタＳＬ２を介して映像信号調整ブロック８３にセットされる。
【００５８】
セレクタＳＬ２は、画面の左半分の映像信号に対しては、トーンカーブＣの特性が得られるように、また画面の右半分の映像に対しては、トーンカーブＧの特性が得られるように映像信号調整ブロック８３の利得を設定する。映像信号調整ブロック８３に設定された利得は、例えば、フレームメモリに書き込まれるときの画像データに適用される。
【００５９】
上記したように左眼用映像信号と右眼用映像信号の輝度に関する特性をできる限り近づけて、立体視を良好に維持することができる。
【００６０】
上記の実施形態は、テレビジョン放送受信装置のチューナから、立体視表示用の映像信号を取り込んだ。しかし本発明は、上記の実施形態に限定されるものではなく、撮像カメラから取り込んだ立体視表示用の左眼用映像信号と右眼用映像信号を処理する装置として、カメラに組み込むことも可能である。
【００６１】
図６は立体映像信号処理装置が立体映像撮像装置に適用された場合の代表的な構成例を示している。左右のレンズ７１Ｌ，７１Ｒから入射した左右の光学像は、撮像部を構成する基板７３上に配置された撮像素子７２Ｌ，７２Ｒに結像する。撮像素子７２Ｌ，７２Ｒは、ドライブ回路７４により駆動さされ、光学像を電気信号に変換する。カメラ信号処理ブロック７５は、撮像素子７２Ｌ，７２Ｒから出力された電気信号を、立体視表示用の第１第２の映像信号に変換し、分離器８２に供給する。分離器８２から後段の構成及び信号処理は、図３で説明した内容と同じであるから、ここでは省略する。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
２２４・・・チューナ、２２５・・・デコーダ、２３４・・・信号処理器、２３５・・・制御ブロック、２３５ｃ・・・３Ｄ関連制御器、８０・・・３Ｄ処理モジュール、８２・・・分離器、８３・・・映像信号調整ブロック、８４・・・ヒストグラム検出器、８７・・・トーンカーブ設定回路、８８・・・補正パラメータ検出器、８９・・・トーンカーブ補正回路。
【図１】
2012175339.tif 000003
【図２】
2012175339.tif 000004
【図３】
2012175339.tif 000005
【図４】
2012175339.tif 000006
【図５】
2012175339.tif 000007
【図６】
2012175339.tif 000008